(57)【要約】【課題】  パネル同士を簡単な操作で連結でき、パネル間の隙間をなくして連結できる、パネルの連結構造を提供する。【解決手段】  第１パネルに固着具１が固着され、固着具１は、フランジ７及びスリーブ９で成るリベット本体１０とスリーブ９からフランジ７を越えて延びスリーブを拡膨するマンドレル１１とから成るブラインドリベットと、リベット本体１０が貫通しフランジ７からマンドレル１１側に延びるように形成されたクリップ２とから成り、クリップ２は、フランジとスリーブの拡膨変形部分とによって第１パネルに固着され、クリップ２には第１パネル面から突出するパネル支持部１９が形成されて、第２パネルの取付穴にクリップのパネル支持部を挿入して取付穴縁部に係合することによって第１パネルと第２パネルが相互に連結される。【選択図】          図１
2006170311.tif 000002
【特許請求の範囲】
【請求項１】
第１のパネルと第２のパネルとを連結するパネル連結構造であって、
前記第１パネルには固着具が固着され、前記固着具は、フランジ及びスリーブで成るリベット本体と前記スリーブから前記フランジを越えて延び前記スリーブを拡膨するためのマンドレルとから成るブラインドリベットと、前記リベット本体が貫通するようにブラインドリベットが組付けられ、前記フランジから前記マンドレル側に延びるように形成されたクリップとから成り、前記クリップは、前記フランジと前記スリーブの拡膨変形部分とによって前記第１パネルに固着され、該クリップには第１パネル面から突出するパネル支持部が形成されており、
前記第２パネルには、前記クリップの係止部を受入れて係合する取付穴が形成され、
前記第２パネルの取付穴に前記クリップのパネル支持部を挿入して該パネル支持部を前記第２パネル取付穴縁部に係合することによって、前記第１パネルと前記第２パネルが相互に連結される、
ことを特徴とするパネル連結構造。
【請求項２】
請求項１に記載のパネル連結構造において、前記クリップは、前記リベット本体が貫通し且つ前記フランジが着座して前記第１パネルに固着される基部と、該基部の側方に一体に設けられて前記第２パネルの取付穴に係止するパネル支持部とを備え、前記パネル支持部は、第２パネルの取付穴に挿入される筒状の胴部と、該胴部の側面に側方に弾性的に張出す弾性係止部とを備え、該弾性係止部は、前記胴部が前記第２パネルの取付穴に挿入されると胴部側面から内方に撓み前記取付穴をくぐり抜けると胴部側面から外方に張出すように復帰する構成である、ことを特徴とするパネル連結構造。
【請求項３】
請求項２に記載のパネル連結構造において、前記クリップのパネル支持部は、前記基部の両側に設けられ、前記第２パネルには、前記両パネル支持部を受入れて各パネル支持部の弾性係止部に係合する取付穴が形成されている、ことを特徴とするパネル連結構造。
【請求項４】
第１パネルと第２パネルとを連結する固着具であって、
前記第１パネルに固着するためのブラインドリベットと、該ブラインドリベットによって前記第１パネルに固着され且つ前記第２パネルが連結されるクリップとから成り、前記ブラインドリベットは、フランジとスリーブとで成る中空のリベット本体と、前記スリーブ及び前記フランジを貫通して該フランジから延び、前記スリーブの一部を拡膨変形するためのマンドレルとから成り、前記クリップは、前記リベット本体が貫通し且つ前記フランジが着座して、該フランジと前記スリーブの拡膨変形部分とによって前記第１パネルに固着される基部と、該基部の側方に一体に設けられて前記第２パネルの取付穴に係止するパネル支持部とを備え、前記パネル支持部は、前記第２パネルの取付穴の縁部に係合して該第２パネルを支持する構成を有する
ことを特徴とする固着具。
【請求項５】
請求項４に記載の固着具において、前記パネル支持部は、第２パネルの取付穴に挿入される筒状の胴部と、該胴部の側面に側方に弾性的に張出す弾性係止部とを備え、該弾性係止部は、前記胴部が前記第２パネルの取付穴に挿入されると胴部側面から内方に撓み前記取付穴をくぐり抜けると胴部側面から外方に張出すように復帰する構成である、ことを特徴とする固着具。
【発明の詳細な説明】
【技術分野】
【０００１】
本発明は、複数のパネルを相互に連結するパネル連結構造及びパネル連結用固着具に関する。
【背景技術】
【０００２】
建築物のコンクリート基礎面等に建築用パネルを連結するパネル連結構造が、特開平８−０９３７３４号公報（特許文献１）に開示されている。建築用のパネルの裏面に第１クリップが配置され、第１クリップには、パネルを貫通してパネルのおもて面に突出する一対のボスが設けられ、パネルのおもて面には第２クリップが配置され、前記ボスに係合することによってパネルに固定される。第２クリップには錨脚形状の係止脚が突出して形成されて、その係止脚がチャンネル材等の部材に取付けられる構成になっている。パネルに固定されたクリップの係止脚をチャンネル材の溝部分に押し込むだけで、パネルをチャンネル材に固定できる。
【０００３】
特開平１１−０２０５６８号公報（特許文献２）には、自動車の車体にモールを固定する連結具が開示されている。この連結具は、フランジ及びスリーブから成るリベット本体とスリーブからフランジを越えて延びスリーブを拡膨するためのマンドレルとから成るブラインドリベットと、リベット本体のフランジに係合しフランジからマンドレル側に延びるクリップとから成る。連結具のブラインドリベットはフランジとスリーブの拡膨部分とによって車体に固着され、これによって、クリップがフランジと車体との間に挟着されて車体に固着され、クリップには車体から突出する係止部が形成されていて、この係止部にモールが取付けられる。特開２００４−０７６８６８号公報（特許文献３）には、第１の部品の裏面にボスを突出するように設け、第２の部品であるパネルにはクリップを取付けておき、そのクリップに第１部品から突出するボスを係合することによって、第１部品とパネルを連結する。
【０００４】
【特許文献１】特開平８−０９３７３４号公報
【特許文献２】特開平１１−０２０５６８号公報
【特許文献３】特開２００４−０７６８６８号公報
【発明の開示】
【発明が解決しようとする課題】
【０００５】
特許文献１に記載のパネル連結構造は、錨脚係止脚をチャンネル材へ押込むだけの簡単な操作で連結でき、建築現場での狭い作業であっても容易にできる利点がある。しかし、錨脚係止脚が第２クリップ面より突出しているので、チャンネル材と錨脚係止脚の係止部と第２クリップ面との間に隙間が形成され、両パネルを隙間なく連結するのには適していない。特許文献２に記載の連結具は、２つのパネルを隙間なく連結するのには適しているが、一方のパネルの係合突起部材に対して他方のパネルのキー穴の大穴を位置決めしてその突起部材を受入れ、更に、一方のパネルに対して他方のパネルをスライドしてキー穴の小穴に突起部材の首部を係合する操作を必要とし、狭いエレベータかご内での作業をやや困難にしている。特許文献３に記載の連結構造では、取付け部品にボスを形成せねばならないので、パネルの連結に適用する場合には、そのパネルにボスを一体成形せねばならない不利がある。また、取付部品が取付けられるパネルに、ボスに係合するためのクリップを予め取付けておかねばならない。
【０００６】
従って、本発明の目的は、パネル同士を簡単な操作で連結でき、パネル間の隙間をなくして連結できる、パネルの連結構造及びパネル連結用固着具を提供することにある。
【課題を解決するための手段】
【０００７】
上記目的を達成するため、本発明に係る、第１のパネルと第２のパネルとを連結するパネル連結構造は、第１パネルに固着具が固着され、固着具は、フランジ及びスリーブで成るリベット本体とスリーブからフランジを越えて延びスリーブを拡膨するためのマンドレルとから成るブラインドリベットと、リベット本体が貫通するようにブラインドリベットが組付けられて、フランジからマンドレル側に延びるように形成されたクリップとから成り、クリップは、フランジとスリーブの拡膨変形部分とによって第１パネルに固着され、クリップには第１パネル面から突出するパネル支持部が形成されて、第２パネルには、クリップの係止部を受入れて係合する取付穴が形成され、第２パネルの取付穴にクリップのパネル支持部を挿入してパネル支持部を第２パネル取付穴縁部に係合することによって第１パネルと第２パネルが相互に連結されることを特徴とする。
【０００８】
上記のパネル連結構造によれば、第１パネルにはブラインドリベットでクリップが強固に固着され、第２パネルにはクリップのパネル支持部のための取付穴を形成するだけの簡単な構成で、しかも、第２パネル取付穴へクリップのパネル支持部を挿入するだけの簡単な作業で、第１パネルと第２パネルとを強固に且つ隙間なく連結できる。
【０００９】
上記パネル連結構造において、クリップは、リベット本体が貫通し且つフランジが着座して第１パネルに固着される基部と、基部の側方に一体に設けられて第２パネルの取付穴に係止するパネル支持部とを備え、パネル支持部は、第２パネルの取付穴に挿入される筒状の胴部と、胴部側面に側方に弾性的に張出す弾性係止部とを備え、弾性係止部は、胴部が第２パネルの取付穴に挿入されると胴部側面から内方に撓み取付穴をくぐり抜けると胴部側面から外方に張出すように復帰する構成にされる。また、パネル支持部は、基部の両側に設けられ、第２パネルには、両パネル支持部を受入れて各パネル支持部の弾性係止部に係合する取付穴が形成されている。
【００１０】
また、本発明においては、第１パネルと第２パネルとを連結する固着具が提供され、この固着具は、第１パネルに固着するためのブラインドリベットと、ブラインドリベットによって第１パネルに固着され且つ第２パネルが連結されるクリップとから成り、ブラインドリベットは、フランジとスリーブとで成る中空のリベット本体と、スリーブ及びフランジを貫通してフランジから延び、スリーブの一部を拡膨変形するためのマンドレルとから成り、クリップは、リベット本体が貫通し且つフランジが着座して、フランジとスリーブの拡膨変形部分とによって第１パネルに固着される基部と、基部の側方に一体に設けられて第２パネルの取付穴に係止するパネル支持部とを備え、パネル支持部は、第２パネルの取付穴の縁部に係合して該第２パネルを支持する構成を有する。
この固着具を用いることによって、第１パネルにはブラインドリベットでクリップが強固に固着され、第２パネルにはクリップのパネル支持部のための取付穴を形成するだけの簡単な構成で、しかも、第２パネル取付穴へクリップのパネル支持部を挿入するだけの簡単な作業で、第１パネルと第２パネルとを強固に且つ隙間なく連結できる。
【００１１】
上記固着具において、パネル支持部は、第２パネルの取付穴に挿入される筒状の胴部と胴部の側面に側方に弾性的に張出す弾性係止部を備え、弾性係止部は、胴部が第２パネルの取付穴に挿入されると胴部側面から内方に撓み取付穴をくぐり抜けると胴部側面から外方に張出すように復帰する構成にされる。
【発明を実施するための最良の形態】
【００１２】
以下図面を参照して、本発明の１実施形態に係るパネル連結用固着具及びパネル連結構造を説明する。図１は、パネル連結用の固着具１を示し、図２〜図５は、固着具１のクリップ２の詳細を示している。図６及び図７は、第１パネル５及び第２パネル６の取付穴の形状を示している。図８は、第１パネル５に固着具１が固着された状態を示し、図９は、固着具１によって第１パネル５と第２パネル６が隙間なく緊密に連結された状態を示している。第１パネル５及び第２パネル６は、例えば、エレベータのかご室内側の鋼板製の側板や枠等を形成するパネルである。
【００１３】
図１に示すように、固着具１は、合成樹脂製のクリップ２と金属製のブラインドリベット３とが組付けられて成る。ブラインドリベット３は、フランジ７及びスリーブ９で成る中空のリベット本体１０と、スリーブ９からフランジ７を越えて延びていて、スリーブ９の一部を拡膨変形するのに用いるマンドレル１１とから成る。クリップ２は、リベット本体１０が貫通するようにブラインドリベット３に組付けられて、フランジ７からはマンドレル１１の側に第２パネルのパネル支持部が延びている。クリップ２の詳細については、図１と図２〜図５を参照して後述する。
【００１４】
ブラインドリベットは、特許文献２にも示されるように、よく知られている。用いられるブラインドリベット３のマンドレル１１には、スリーブ９に隣接する端部側に大径の頭部１３が形成されている。また、マンドレル１１には、頭部１３とフランジ７との間の部分に破断可能な小径部分１４が形成されている。更に、マンドレル１１の先端は、フランジ７から外側に長く突出しており、この突出部分が、締結工具（図示せず）のノーズに保持される。ブラインドリベット３のマンドレル１１の先端部分を締結工具に保持させ、第１パネル５の取付穴１５（図６参照）にマンドレル頭部１３を先頭にしてスリーブ９をフランジ７が接面するまで挿入し、マンドレル１１を小径部分１４で破断する程に、締結工具によって強く引っ張る。この引っ張りによって、マンドレル１１の拡膨頭部１３がスリーブ９の一部を拡膨するように変形させ、拡膨スリーブ部分とフランジ７とにより第１パネル５に強固にクリップ２を固定することができる（図８参照）。小径部分１４で破断したマンドレル１１の先端側部分は、締結工具のノーズを通して工具の後方に排出される。なお、スリーブ９の変形の開始位置を定め且つ変形を容易にするため、スリーブ９の外周面に周溝１７を１本又は複数本設けるのが好ましい。マンドレル１１を強く引込んでスリーブ９の一部を拡膨変形させるため、一般には、油圧作動の締結装置を用いて、被取付部材への締結作業が行われる。
【００１５】
ブラインドリベット３にはクリップ２が組付けられて固着具１を構成する。クリップ２の詳細を、図１に、図２〜図５を加えて説明する。クリップ２は、リベット本体１０が貫通し且つフランジ７が着座して、第１パネルに固着される基部１８と、基部１８の両側に一体に形成されて、第２パネル６の取付穴に係止する、２つのパネル支持部１９とを備えている。基部１８は、図１〜図３及び図５に図示のように、ブラインドリベット３のリベット本体１０のスリーブ９が貫通する穴が形成され且つフランジ７が接面して第１パネルへの連結部分となる基板部２１と、両側のパネル支持部１９を保持するように連結される筒状の側壁部２２とを備えている。
【００１６】
２つのパネル支持部１９は、基部１８の両側に、第１パネルに接面する側において、基板部２１の第１パネルに接面する面と同じ第１パネルに接面する面を形成して基部１８と一体に形成されている。２つのパネル支持部１９は、基部１８の中心線を含む平面の両側に面対称に同じ形状に形成されている。各パネル支持部１９は、第２パネルの取付穴に挿入される角筒形状の中空の胴部２３と、胴部２３の両側面に側方に弾性的に張出す一対の弾性係止部２５とを備えている。各パネル支持部１９の各弾性係止部２５は、胴部２３が第２パネルの取付穴に挿入されるとき胴部２３の側面から内方に撓み、第２パネルの取付穴をくぐり抜けると胴部２３の側面から外方に復帰して側方に張出す弾性を有する。この弾性を与えるため、胴部２３の本体と弾性係止部２５の両側の間には、スリット２６が形成されている。各弾性係止部２５には、第２パネルの取付穴の縁部に係合する係止肩２７（図４参照）が形成され、パネル支持部１９の胴部２３を第２パネルの取付穴に押し込むと係止肩２７が取付穴縁部に係合してクリップ２が第２パネルに係止する。係止肩２７の位置は、クリップ２が第１パネルにブラインドリベット３によって固着された場合に、第２パネルが第１パネルに隙間なく密着できる位置に形成される。弾性係止部２５の弾性によって、弾性係止部２５の係止肩２７の部分を胴部２３の内方に押し込むことができ、それによって、第２パネルとの連結を外すこともできる。胴部２３の先端は、第２パネルの取付穴への挿入を容易にするように、先細に形成されている。また、各パネル支持部１９の胴部２３の内側には、中央柱２９が長さ全体に延びる板状体として一体に形成されて、各パネル支持部１９の強度を高く維持し、クリップ１全体の強度を高く維持している。
【００１７】
図６に示すように、第１パネル５には、クリップ２の基部１８から突出するスリーブ９及びマンドレル頭部１３が貫通する取付穴１５が形成されている。図７に図示のように、第２パネル６には、クリップ２の２つのパネル支持部１９が貫通して、弾性係止部２５の係止肩２７が縁部に係合する、取付穴３０が形成されている。取付穴３０はパネル支持部１９を受入れる矩形穴に形成されて、軸回りの回動を阻止でき、第１パネルと第２パネルの相対回転も防止できる。
【００１８】
クリップ２とブラインドリベット３とで成る固着具１を用いて、第１パネル５と第２パネル６を連結するパネル連結構造について、図８及び図９を参照して説明する。図８に示すように、第１パネル５には固着具１のクリップ２がマンドレル３によって固着される。クリップ２を第１パネル５に固着するため、図１の固着のマンドレル１１の先端部分がブラインドリベット締結工具（図示せず）のノーズに保持され、第１パネル５の取付穴１５にブラインドリベット３のスリーブ９が挿入されて、クリップ２の基部１８及びパネル支持部１９の胴部２３の端面が第１パネル５に接面するまで押込まれる。締結工具のトリガを引いて締結工具を動作させると、締結工具に保持されたマンドレル１１が、引き抜き方向に引っ張られる。締結工具によってマンドレル１１が小径部分１４（図１参照）で破断する程に強く引っ張られると、マンドレル１１の大径頭部１３がスリーブ９の一部を拡膨するように変形させ、破断されたマンドレル部分は締結工具のノーズを通って工具から排出される。ブラインドリベット３は、スリーブ９の拡膨変形部分３１とフランジ７とによってクリップ２の基部１８を間に挟んだ状態で、第１パネル５に固定される。スリーブ９の塑性変形によって得られた拡膨変形部分３１は、フランジ７と協働して強力な固定力を発揮し、クリップ２は、フランジ７と第１パネル５の間に基部１８が挟着されるので、第１パネル５に強固に固着される。図８はその固着状態を示している。クリップ２は、パネル支持部１９が第１パネル５の面から突出した状態で第１パネル５に固着される。
【００１９】
クリップ２が固着された第１パネル５を第２パネル６に緊密に連結するには、第１パネル５から突出するクリップ２のパネル支持部１９を、第２パネル６の取付穴３０にあてがって、そのまま押し込めばよい。パネル支持部１９の弾性係止部２５は、胴部２３が第２パネル６の取付穴３０に挿入されるとき胴部２３の側面から内方に撓み、取付穴３０をくぐり抜けると胴部２３の側面から外方に張出すように復帰して、係止肩２７が取付穴３０の縁部に係合する。これによって、第１パネル５が第２パネル６に緊密に密着した状態に連結される。
【００２０】
クリップ１を第１パネル５へ先付けするのは、第２パネル６のある場所で行ってもよいが、第２パネル６から離れた場所で行うこともできる。例えば、第２パネル６が、エレベータの壁部パネルである場合、その壁部パネルに取付けるべき第１パネル５には、工場等においてクリップ１を先付けしておき、エレベータを設置する現場において、クリップ１が付いた第１パネル５を納品するようにしてもよい。これによって、クリップ１を単独で納品する必要がなくなり、作業現場においてクリップ１を第１パネル５に取付ける手間を省くことができる。なお、クリップ１は、第１パネル５の複数の所定個所に先付けすることによって、第２パネル６への連結強度を高く維持できる。
【００２１】
上記の説明では、連結するパネルは２個であるが、３個以上のパネルであっても連結することができる。また、連結するパネルがエレベータの側面壁板である場合、かご室外では作業スペースは狭いけれど、一方のパネルにクリップを先付けできるので、パネルの連結作業を支障なくすることができ、その作業も一方のパネルを他方のパネルに押付けて係合するだけの作業であるので、工具を必要とせず、作業時間も大幅に短縮できる。
【図面の簡単な説明】
【００２２】
【図１】本発明の１実施形態に係る固着具の一部を断面した正面図である。
【図２】図１の固着具のクリップ正面図である。
【図３】図２のクリップの左側面図である。
【図４】図２のクリップのIV−IV線断面図である。
【図５】図３のクリップのＶ−Ｖ線断面図である。
【図６】第１パネルの取付穴部分を示す平面図である。
【図７】第２パネルの取付穴部分を示す平面図である。
【図８】第１パネルに固着具のクリップを固着した状態を示す図である。
【図９】第１パネルを第２パネルに連結した後の状態を示す図である。
【符号の説明】
【００２３】
１  固着具
２  クリップ
３  マンドレル
５  第１パネル
６  第２パネル
７  フランジ
９  スリーブ
１０  リベット本体
１１  マンドレル
１３  マンドレルの頭部
１４  破断可能な小径部分
１５  第１パネルの取付穴
１７  周溝
１８  基部
１９  パネル支持部
２１  基板部
２２  側壁部
２３  胴部
２５  弾性係止部
２６  スリット
２７  係止肩
２９  中央柱
３０  第２パネルの取付穴
３１  拡膨変形部分
【図１】
2006170311.tif 000003
【図２】
2006170311.tif 000004
【図３】
2006170311.tif 000005
【図４】
2006170311.tif 000006
【図５】
2006170311.tif 000007
【図６】
2006170311.tif 000008
【図７】
2006170311.tif 000009
【図８】
2006170311.tif 000010
【図９】
2006170311.tif 000011